(57)【特許請求の範囲】
【請求項１】
一枚の鋼板から梯子状に加工されて照明器具アクセサリーとして用いられる被包装物が、その長手方向に沿って多数配置されたバッフル板と、内板と外板とこれらを連結した連結板からなるとともに上方を開口して断面形状が略コ字形をなして前記バッフル板の両側に一体形成された枠体とを備え、前記外板の上半分に外方に向けて突出する遮光部材が設けられ、かつ、前記枠体の長手方向の端部が前記バッフル板群の内で最も端に配置されたバッフル板よりも前記長手方向に突出するように設けられて、これら枠体の長手方向両端部間を開放してなるとともに、この被包装物を包装する包装装置において、
前記被包装物の枠体の長手方向両端部に前記遮光部材を避けて差し込まれて前記内板に接するとともに前記外板に接する一対のスリット、及びこれらスリット間に形成され折り曲げて重ね合わされるとともに前記枠体の開放された長手方向両端部間に配置されて前記被包装物の長手方向と直交する幅方向に沿う前記枠体の長手方向端部の変形を防止する幅方向補強板を有し、かつ、前記被包装物の幅よりも大きな平板状をなした一枚の包装材からなる平板状の端部緩衝板と；
一枚の包装材を略コ字状に折曲げて形成され前記被包装物の枠体の対向する内板に接してこれらの間に装着される補強緩衝板と；
前記端部緩衝板と前記補強緩衝板とを装着した前記被包装物を箱状に覆う底面部と両側面部と天面部と両つま面とを備え前記底面部と天面部を前記被包装物に密着外装させる一枚の包装材からなる外装包装部材と；
からなることを特徴とする包装装置。
【発明の詳細な説明】
【０００１】
【発明の属する技術分野】
本発明は、照明器具用アクセサリーとして使用されるバッフルなどを包装する包装装置に関する。
【０００２】
【従来の技術】
従来、照明器具のバッフルなどを包装する包装装置として図８〜図１１に示すものが知られている。
【０００３】
包装装置で包装されるバッフル１は、図８に示すように、梯子状で、幅方向に立設・配置される矩形状のバッフル板２が長手方向に沿って多数並列に配置され、これらバッフル板２の両側には、図９（Ａ）に示すように、上方開口した断面形状が略コ字形をなす側面部材としての外板６と内板７とこれら外板６と内板７とを連結する連結板８からなる枠体５が配置され、これら枠体５はバッフル板２の両側に一体形成されている。さらに、外板６の上半分から外方に向けて水平に突出する遮光部材９が当該外板に接着固定されている。
【０００４】
梯子状のバッフル１を包装する包装装置１４は、図８に示すように、当該バッフルの両端に配置される一対の端部角筒状緩衝体１５，１５と、バッフルの長手方向中間の外と内とにそれぞれ配置される略コ字形に形成される外側胴枠板２５と略コ字形に形成される内側胴枠板３０と、外側胴枠板２５と内側胴枠板３０とを装着したバッフル１と端部角筒状緩衝体１５，１５とを外装する巻板３５とから構成されている。
【０００５】
バッフルの端部に配置される端部角筒状緩衝体１５は、一枚の段ボール材から折曲げ形成されるもので、当該端部角筒状緩衝体の幅Ｄ１は、バッフル１の幅方向両側に緩衝空間が形成されるように当該バッフルの幅Ｄ２より幅広に形成され、長手方向に折り筋線を介して形成された底面部１６と端面部１７と天面部１８とつま面部１９と先端が載置部２１となる載置片２０とを備え、底面部１６と端面部１７と天面部１８とつま面部１９とを角筒状に折曲げるとともに、載置片２０を底面部１６の下方に重ね合わせたのち、形状を保持するために両側開口からテープ２２で載置片２１と底面部１６とをそれぞれ貼付け固定する。このとき、バッフルの両端が載置される載置部２１は角筒状体から突出している。また、端部角筒状緩衝体の高さＨ１は、バッフルの高さＨ２より高く形成され、当該バッフルの上方に緩衝空間が形成されるようになっている。
【０００６】
外側胴枠板２５は、一枚の段ボール材を略コ字状に折曲げ形成されるもので、幅方向に形成される矩形状の底面部２６とこの底面部２６の両側に折り筋線を介して形成される一対の立上り片２７，２７とを備え、この底面部２６の両側には、バッフルが嵌込まれるように段ボール材からなる位置出し片２９，２９がそれぞれ貼付けられ、これら位置出し片２９，２９間の幅Ｄ３はバッフルのＤ２より多少幅広に形成されている。
【０００７】
内側胴枠板３０は、一枚の段ボール材を略コ字状に折曲げ形成されるもので、幅方向に形成される矩形状の上面部３１とこの上面部の両側に折り筋線を介して形成される一対の立下り片３２，３２とを備え、これら立下り片３２，３２の幅Ｄ４はバッフルの内板７，７に外接する幅に形成されている。
【０００８】
巻板３５は、一枚の段ボール材を筒状に折曲げ形成されるもので、端部角筒状緩衝体の幅Ｄ１と同じ幅寸法からなる底面部３６と、この底面部の両側に折り筋線を介して端部角筒状緩衝体の高さＨ１と同じ高さからなる一対の側面部３７，３７と、これら側面部の側方に折り筋線を介して底面部３６の幅の１／２の幅を有する上面部３８がそれぞれ形成されている。Ａは段ボール材の中芯の方向を示すものである。
【０００９】
被包装物としてのバッフルを包装装置で包装する方法を説明する。
【００１０】
最初に、略コ字状に折曲げた内側胴枠板３０の立下り片３２，３２をバッフルの両側に形成している内板７，７の中間に外接し装着する。それから、巻板の底面部３６の中程に略コ字状に折曲げた外側胴枠板２５を幅方向に配置するとともに、巻板の底面部３６両端に端部角筒状緩衝体１５，１５をそれぞれ配置する。
【００１１】
つぎに、内側胴枠板３０を装着したバッフルを外側胴枠板２５の底面部２６両側に貼付けられている位置出し片２９，２９間に挿入するとともに、バッフルの両端は端部角筒状緩衝体１５の下方から内方に向けて舌片状に突出している載置部２１，２１上に載置する。
【００１２】
それから、巻板の側面部３７，３７と上面部３８，３８を折り筋線に沿って筒状に折曲げ、最後に、図１１に示すように、テープ３９を上面部３８，３８の接合部に貼付けるとともに端部角筒状緩衝体のつま面部１９および巻板の底面部３６に貼付け包装を完了する。
【００１３】
【発明が解決しようとする課題】
上記のように従来の梯子状をした照明器具用アクセサリーの包装装置は、以下に記載することからコストがアップするという問題があった。
【００１４】
第１に、包装部品の種類は、端部角筒状緩衝体１５とコ字形に折曲げられる外側胴枠板２５とコ字形に折曲げられる内側胴枠板３０と外装包装部材としての巻板３５とからなり、４種類と種類が多い。
【００１５】
第２に、包装部品の点数は、端部角筒状緩衝体２点と外側胴枠板１点と内側胴枠板１点および巻板１点とからなり、５点と部品点数が多い。
【００１６】
第３に、端部角筒状緩衝体は筒状に組立てのち、当該筒状を保持するためテープ２２，２２を２か所貼り付ける。さらに、外側胴枠板には２か所別部材として矩形状をした位置出し片を２９張り合わせるなど、包装部品の製作に手間を要する。
【００１７】
第４に、梯子状をした照明器具用アクセサリーとしてのバッフル１は、図９（Ａ）に示すように、幅方向に沿って矩形状のバッフル板２が長手方向に沿って多数配置され、これらバッフル板２を連結する上方開口し断面形状が略コ字形をなす枠体５が両側に一体形成されている。
【００１８】
このため、バッフル１は、図９（Ｂ）に示すように、物流時等に矢印に示すように横方向から衝撃が加わると、菱形に変形しやすい形状をしている。
【００１９】
そこで、菱形に変形するのを防止するため、バッフルの長手中央の対向する内板に外接させて略コ字形に折曲げた内側胴枠板３０を装着するとともに、当該装着した内側胴枠板の外側に位置する外板６，６に外接させて略コ字形に折曲げた外側胴枠板の両側に貼付けた位置出し片２９，２９間に内接させて装着し、バッフルの長手方向中央１箇所で当該バッフルを外と内から保持し、当該バッフルが菱形に変形するのを防止しているが、これでは変形防止に対して十分でないというのが現状である。
【００２０】
第５に、バッフル板を保護するため、図１０に示すように、当該バッフル１の上部に緩衝空間１０を設けていることから、当該バッフルを包装した包装状態での外装包装部材の高さが高くなるため、積層段数を多くするのが困難である。
【００２１】
本発明は上記の点に鑑みてなされたもので、コストの軽減が図れ、且つ、被包装物の保護が十分に図れる包装装置を提供することを課題とする。
【００２２】
【課題を解決するための手段】
請求項１に係る発明の包装装置は、一枚の鋼板から梯子状に加工されて照明器具アクセサリーとして用いられる被包装物が、その長手方向に沿って多数配置されたバッフル板と、内板と外板とこれらを連結した連結板からなるとともに上方を開口して断面形状が略コ字形をなして前記バッフル板の両側に一体形成された枠体とを備え、前記外板の上半分に外方に向けて突出する遮光部材が設けられ、かつ、前記枠体の長手方向の端部が前記バッフル板群の内で最も端に配置されたバッフル板よりも前記長手方向に突出するように設けられて、これら枠体の長手方向両端部間を開放してなるとともに、この被包装物を包装する包装装置を前提とする。
そして、前記課題を達成するために請求項１に係る発明の包装装置は、前記被包装物の枠体の長手方向両端部に前記遮光部材を避けて差し込まれて前記内板に接するとともに前記外板に接する一対のスリット、及びこれらスリット間に形成され折り曲げて重ね合わされるとともに前記枠体の開放された長手方向両端部間に配置されて前記被包装物の長手方向と直交する幅方向に沿う前記枠体の長手方向端部の変形を防止する幅方向補強板を有し、かつ、前記被包装物の幅よりも大きな平板状をなした一枚の包装材からなる平板状の端部緩衝板と；一枚の包装材を略コ字状に折曲げて形成され前記被包装物の枠体の対向する内板に接してこれらの間に装着される補強緩衝板と；一枚の包装材を略コ字状に折曲げ形成されて前記被包装物の枠体の対向する内板に接してこれらの間に装着される補強緩衝板と；前記端部緩衝板と前記補強緩衝板とを装着した前記被包装物を箱状に覆う底面部と両側面部と天面部と両つま面とを備え前記底面部と天面部を前記被包装物に密着外装させる一枚の包装材からなる外装包装部材と；からなることを特徴とするものである。
【００２５】
上記請求項１記載の構成において、被包装物としてのバッフルの両端に平板状の端部緩衝板に設けたスリットを差し込むことにより、バッフルの枠体を内外から支えているとともに、バッフルの両端側の内面に内接させて略コの字に折り曲げたコ字状補強緩衝板を装着することにより、バッフルの幅方向からの衝撃により菱形に変形するのを防止する。
【００２６】
さらに、被包装物を外装する外装包装部材の底面部と天面部を被包装物に密着外装させることから、外装包装部材の高さが低くなる。その上、バッフルの両端に差込み装着される端部緩衝板のスリット間に形成されて、枠体の開放された長手方向両端部間に配置される幅方向補強板を、折り曲げて重ね合せることにより、当該幅方向補強板の長手方向の厚さが厚くなって、バッフルの幅方向からのより大きな衝撃力に耐えることが可能になる。
【００２８】
【発明の実施の形態】
本発明の実施の形態に係る包装装置を図１〜図７を参照して説明する。
【００２９】
照明器具には、機能・用途に応じ付け替え可能なアクセサリーユニットがあり、そのユニット群の中にバッフルタイプのアクセサリーがあり、そのバッフル１は、図１および図５に示すように、梯子状に一枚の鋼板を抜き曲げ加工されており、幅方向に沿って矩形状のバッフル板２が長手方向に沿って多数配置され、これらバッフル板２を連結する上方開口し断面形状が略コ字形をなす外板６と内板７とこれら外板と内板とを連結する連結板８とからなる枠体５が、バッフル板２の両側に一体形成されている。さらに、外板６の上半分からは外方に向けて水平に突出する遮光部材９が、当該外板に接着・固定され、この遮光部材９は、当該バッフル１を照明器具（図示せず）に装着した際、照明器具に取り付けられたランプの光がバッフル１の周囲から漏れるのを防止するものである。
【００３０】
照明器具用アクセサリーとして使用されるバッフルを包装する包装装置は、図１に示すように、バッフル１を外装する一枚の段ボール材からなる外装包装部材４０と、バッフルの両端にそれぞれ装着される一枚の段ボール材からなる一対の平板状の端部緩衝板６０，６０と、バッフルの幅方向の変形を防止する補強緩衝板７５とから構成している。
【００３１】
外装包装部材４０は、図２に示すように、一枚の段ボール材からなり、幅方向に形成され被包装物としてのバッフル１が載置される長方形をした底面部４１と、この底面部４１の両側に折り筋線４５，４５を介して形成され当該底面部と同一長さからなる一対の側面部４２と、一方の側面部４２の側方に折り筋線４６を介して形成され当該底面部と同一長さからなる側方フラップ部４３と、他方の側面部４２の側方に折り筋線４６を介して形成され当該底面部と同一長さからなるとともに前記底面部と同一形状からなる天面部４４とから構成している。
【００３２】
さらに、底面部４１の長手方向には、当該底面部と同一幅からなるつま面４８と端部フラップ部４９とがそれぞれ形成され、底面部４１とつま面４８と端部フラップ部４９との間には折り筋線５０，５１がそれぞれ形成されている。
【００３３】
また、つま面４８の両側には、当該つま面より幅狭の幅方向に長方形をしたフラップ片５４，５４が折り筋線５５，５５を介してそれぞれ形成されている。
【００３４】
図４はバッフルの幅方向の変形を防止する補強緩衝板で、この補強緩衝板７５は、略コ字状に折曲げ使用されるもので、バッフルの対向する内板７，７間に内接して装着される立上り片７７，７７を両側に折り筋線７８，７８を介して形成される底面部７６とから構成され、この補強緩衝板７５は、梱包時に外装包装部材４０から切り離し使用するもので、図２に示すように、外装包装部材４０の天面部４４の両端部にそれぞれ隣接し形成されている。補強緩衝板７５と外装包装部材の天面部４４とは繋ぎ部７９で接続されるとともに、フラップ部５４と補強緩衝板７５とは繋ぎ部８０で接続されている。
【００３５】
バッフルの端部に装着される平板状の端部緩衝板６０は、図３に示すように、一枚の段ボールからなるとともに端部緩衝板の両側にバッフルの両側に形成されている一対の枠体５，５が挿入される一対のスリット６１，６１が穿設され、これらスリット６１，６１間には幅方向補強板６２が形成され、当該幅方向補強板６２には、長手方向に折曲げられ相互に重合するように半切りした折曲げ部６３が設けられ、図１に示すように、幅方向補強板６２を相互に重ね合わせることにより当該幅方向補強板厚みを厚くし、バッフルの幅方向から加わる衝撃に対する耐衝撃力を高くする効果を生ずる。また、端部緩衝板６０の幅は、外装包装部材の底面部４１の幅と同一に形成されている。
【００３６】
つぎに、照明器具用アクセサリーとして使用されるバッフルの包装方法を説明する。
【００３７】
第１ステップとして、図２に示す外装包装部材の天面部４４の両側に繋ぎ部７９，８０で繋がっている補強緩衝板７５を当該外装包装部材から切り離す。それから、補強緩衝板７５の両側に形成された折り筋線７８，７８に沿って立上り片７７，７７を上方に向けてそれぞれ立設し略コ字形に折曲げる。この略コ字形に立設された立上り片７７の高さＨ１は、バッフルの枠体の内板７の高さＨ２と同一寸法になっている。また、補強緩衝板７５の幅は、バッフルのバッフル板２，２間より小さく形成されている。
【００３８】
補強緩衝板７５は、図１に示すように、バッフルの両端にそれぞれ装着されるもので、略コ字状に折曲げられた補強緩衝板の立上り片７７，７７は、図６に示すように、下方からバッフルの内板７，７に内接させバッフルに突当たるまで挿入し、２点鎖線で示すように補強緩衝板はバッフルに装着される。
【００３９】
第２ステップとして、平板状の端部緩衝板６０は、スリット６１，６１間に形成された幅方向補強板６２を半切りした折曲げ部６３に沿って、手前側に１８０度折曲げ当該幅方向補強板同士を重ね合わせる。折曲げ部６３が半切りされていることから、重ね合わされた幅方向補強板同士は重ね合われた状態を維持することができる。
【００４０】
それから、図５に示すように、重ね合わされた幅方向補強板の両側に形成されている一対のスリット６１，６１にバッフルの両側に形成されている一対の枠体５，５を矢印で示すように下方に移動させ、スリット６１，６１内に枠体を嵌込むことにより、枠体の内板７と外板６とはスリット６１に内接および外接し装着される。
【００４１】
第３ステップとして、図１に示すように、補強緩衝板と端部緩衝板とを装着したバッフル１を外装包装部材の底面部４１上に載置すると、バッフルの両端に装着された端部緩衝板６０，６０は底面部の両端に沿って載置される。
【００４２】
つぎに、つま面部４８の両端に形成されているフラップ片５４，５４を折り筋線に沿って上方に向けて直角に折曲げたのち、つま面部４８を折り筋線に沿って上方に向けて直角に折曲げる。それから、つま面部の上方に位置する端部フラップ部４９，４９を折り筋線に沿って内側に向け直角にそれぞれ折曲げる。
【００４３】
さらに、底面部の両側にある側面部４２，４２を折り筋線に沿って上方に向け直角に折曲げたのち、当該側面部の側方にある側方フラップ部４３を折り筋線に沿って内側に向け直角に折曲げる。
【００４４】
最後に、天面部４４を折り筋線に沿って内側に向け直角に折曲げると、端部フラップ部４９と側方フラップ部４３とに当接するとともに、底面部４１と天面部４４とは被包装物としてのバッフル１の上下に密着状態となる。
【００４５】
第４ステップとして、図７に示すように、テープ５９を天面部４４と側面部４２とにかけて貼り付ける。さらに、天面部４４とつま面４８にかけてテープ５９を貼り付けることにより包装を完了する。なお、Ｂは段ボール材の中芯の方向を示すものである。
【００４６】
次に上記実施の形態に係る包装装置の作用を説明する。
【００４７】
包装装置で包装する被包装物としてのバッフルの幅よりも一回り大きい平板状の段ボール材よりなる端部緩衝板に、バッフルの両側にある枠体の幅部分となる位置にスリットを入れ、端部緩衝板のスリットにバッフル外面に取付けた遮光部材を避けてバッフルの枠体端部に差し込むことで、バッフルの両側に形成している枠体の内外から支えられる。
【００４８】
さらに、バッフルの両端側の枠体内板に内接させて、略コ字形に折り曲げたコ字状補強緩衝板を装着することにより、バッフルの幅方向からの衝撃により菱形に変形するのを防止している。
【００４９】
さらに、バッフルの両端に差込み装着される端部緩衝板のスリット間に形成される幅方向補強板に長手方向に重ね合せる半切りした折曲げ部を設け、これら幅方向補強板を長手方向に重ね合せ厚くすることにより、バッフルの幅方向からの衝撃に対し、より大きな衝撃力に耐え、菱形に変形するのを更に防止することができる。
【００５０】
バッフルの幅方向に装着するコ字状補強緩衝板は、外装包装部材の天面部の端部側に繋ぎ部を介して一体形成され、梱包時に切り離し使用する構成にしたので、外装包装部材の廃材部分を使用できることからコストダウンを図ることができる。
【００５１】
さらに、被包装物を外装する外装包装部材の底面部と天面部を被包装物に密着外装させることから、外装包装部材の高さが低くなることから、積層段数が多くなり、この面からのコストダウンを図ることができる。
【００５２】
【発明の効果】
以上詳記したように請求項１記載の本発明によれば以下の効果がある。
【００５３】
第１に、包装部品の種類が、端部緩衝板と補強緩衝板および外装包装部材とからなる３種類で、従来技術の４種類に比べ、１種類削減できる。
【００５４】
第２に、包装部品の点数が、端部緩衝板２点と補強緩衝板２点および外装包装部材１点とからなり計５点で、従来技術の５点と同じ部品点数であるが、補強緩衝板２点は外装包装部材に繋ぎ部を介して一体形成され、梱包時に切り離し使用する構成にしたことから、実質的な包装部品の点数は３点で従来技術の５点と比べて２点削減できる。
【００５５】
第３に、包装部品の製作には、外装包装部材を封緘する際にテープを使用するだけで、他の包装部品は折り筋線に沿って折曲げるだけで、従来技術のように、包装部品の形状を保持するためテープを貼付けたり、外側胴枠板に別部材を張合わせるなどの手間を要することなく、包装部品作りに手間を要しない。
【００５６】
第４に、被包装物の両側にある枠体の両端に遮光部材を避けて端部緩衝板の両側に形成されたスリットを差し込むことで、被包装物の枠体の端部を内外から支えている。
【００５７】
第５に、外装包装部材の底面部と天面部とを被包装物に密着外装させることから、従来、高さ方向に緩衝空間を確保していたのに比べて外装包装部材の高さを低くすることができ、積層段数も多くなることから、運送費や倉庫保管料および荷崩れが発生しにくくなるなどの面からコストダウンを図ることができる。
【００５８】
第６に、端部緩衝板のスリット間に形成された幅方向補強板を折曲げて重ね合わせるとともに、この幅方向補強板が被包装物の枠体に内接されていることから、幅方向から加わる衝撃に対して耐衝撃力が大きくなる。
【００６０】
よって、包装材の製造から、運搬、梱包、包装材の産業廃棄物処理に至るまでの包装にかかる全ての工程において、時間とコストの軽減が図れる。
【図面の簡単な説明】
【図１】本発明の第１実施の形態に係る包装装置で被包装物を包装する状態を示す斜視図。
【図２】同実施の形態における包装装置を示す展開図。
【図３】同実施の形態における包装装置の端部緩衝板を示す平面図。
【図４】同実施の形態における包装装置の補強緩衝板を示す平面図。
【図５】同実施の形態における包装装置の端部緩衝板を被包装物の端部に装着する状態を示す側面図。
【図６】同実施の形態における包装装置のコ字形に形成された補強緩衝板を被包装物に装着する状態を示す側面図。
【図７】同実施の形態における包装装置に外装包装部材で被包装物を包装した状態を示す斜視図。
【図８】従来技術に係る包装装置で被包装物を包装する状態を示す斜視図。
【図９】包装装置に包装する被包装物を示すもので、
（Ａ）は被包装物としてのバッフルを示す側面図。
（Ｂ）は被包装物としてのバッフルに側方から衝撃が加わり菱形に変形した状態を示す側面図。
【図１０】従来技術に係る包装装置で被包装物を包装した状態を示す側面断面図。
【図１１】従来技術に係る包装装置で被包装物を包装した状態を示す斜視図。
【符号の説明】
１…被包装物（バッフル），２…バッフル板，５…枠体，６…外板，７…内板，８…連結板，９…遮光部材，４０…外装包装部材，４１…底面部，４２…側面部，４４…天面部，４８…つま面，６０…平板状の端部緩衝板，６１…スリット，６２…幅方向補強板，６３…折曲げ部，７５…補強緩衝板，７６…底板部，７７…立上り片，７９…繋ぎ部。
【図１】
0003873485.tif 000002
【図２】
0003873485.tif 000003
【図３】
0003873485.tif 000004
【図４】
0003873485.tif 000005
【図５】
0003873485.tif 000006
【図６】
0003873485.tif 000007
【図７】
0003873485.tif 000008
【図８】
0003873485.tif 000009
【図９】
0003873485.tif 000010
【図１０】
0003873485.tif 000011
【図１１】
0003873485.tif 000012